(57)【要約】【課題】地下外壁の型枠工事において、セパレータを用いずに型枠を建て込むことができ、これにより、型枠の外側に山留め地盤の水が漏れ出すのを防止することができ、また、当該型枠内にコンクリートを速やかに打設することができる型枠支保工の提供。【解決手段】コンクリート打設空間の少なくとも片側に型枠を建て込む際に用いられる型枠支保工であって、上記型枠の外面を支持する多角形の枠状部材と、上記枠状部材の底辺に設けられ、地面または床面にアンカー留めされるアンカー固定部材とを備えている。【選択図】図４
2012237108.tif 000002
【特許請求の範囲】
【請求項１】
コンクリート打設空間の少なくとも片側に型枠を建て込む方法であって、
枠状の型枠支保工を相互に間隔をあけて複数個立設するステップと、
横バタ材を型枠に取り付けるステップと、
前記複数の型枠支保工を相互に連結するように当該型枠支保工に前記横バタ材を取り付けるステップと、を備えた型枠建て込み方法。
【請求項２】
前記枠状部材の底辺にはアンカー固定部材が設けられ、当該アンカー固定部材を地面または床面にアンカー留めすることにより、前記型枠支保工を立設することを特徴とする、請求項１に記載の型枠建て込み方法。
【請求項３】
前記枠状部材は、各辺が相互に着脱可能に構成された多角形であることを特徴とする、請求項１または２に記載の型枠建て込み方法。
【請求項４】
前記枠状部材を、構築する壁体の高さに応じて複数階層に組み上げていくことを特徴とする、請求項３に記載の型枠建て込み方法。
【請求項５】
前記枠状部材がｎ角形（ｎは４以上の整数）の場合、当該枠状部材には筋交い部材が設けられていることを特徴とする、請求項３に記載の型枠建て込み方法。
【請求項６】
前記枠状部材は、各辺の着脱部材がボルトおよびナットであることを特徴とする、請求項３または４に記載の型枠建て込み方法。
【請求項７】
コンクリート打設空間の少なくとも片側に型枠を建て込む際に用いられる型枠支保工であって、
前記型枠の外面を支持する多角形の枠状部材と、
前記枠状部材の底辺に設けられ、地面または床面にアンカー留めされるアンカー固定部材とを備えた、型枠支保工。
【請求項８】
前記枠状部材は、構築する壁体の高さに応じて複数階層に組み上げ可能に構成され、
前記アンカー固定部材は、最下階層に設けられることを特徴とする、請求項７に記載の型枠支保工。
【発明の詳細な説明】
【技術分野】
【０００１】
本発明は、型枠建て込み方法およびこの方法で用いられる型枠支保工に関し、より詳しくは、地下外壁の型枠工事において、セパレータを用いずに型枠を建て込むことにより、型枠の外側に山留め地盤の水が漏れ出すのを防止することができ、また、当該型枠内にコンクリートを速やかに打設することができる型枠建て込み方法およびこの方法で用いられる型枠支保工に関する。
【背景技術】
【０００２】
従来、地下外壁の型枠工事においては、図７に示されるように、山留め壁１００（例えば、親杭横矢板工法によるもの）にスタッド溶接等の方法でセパレータ１０１の一端部を取り付け、当該セパレータ１０１の他端部に型枠１０２を固定することにより、型枠１０２を建て込んでいた。コンクリートが当該型枠１０２と山留め壁１００の間に打設され、地下外壁３が構築される。
【０００３】
しかしながら、この型枠建て込み方法には、以下の課題が存在した。
すなわち、この方法においては、セパレータが土留め壁と型枠を繋いでいるため、セパレータに沿って水みちが出来てしまい、山留めされている地盤の水がセパレータを伝って型枠の外側に漏れ出す可能性があった。また、型枠の内側にコンクリートを打設する際、セパレータがコンクリートの流れを弱めてしまい、コンクリートの打設に要する時間が長くなるという課題もあった。
【０００４】
特許文献１には、対向して立設した型枠をセパレータで固定し、一方側の型枠をパイプサポートにより支持する技術が開示されている。しかしながら、この技術では、上記した課題を解決することができない。
【先行技術文献】
【特許文献】
【０００５】
【特許文献１】特開２００６−１６９８９３号公報
【発明の概要】
【発明が解決しようとする課題】
【０００６】
本発明は、このような実情に鑑みてなされたもので、地下外壁の型枠工事において、セパレータを用いずに型枠を建て込むことにより、型枠の外側に山留め地盤の水が漏れ出すのを防止することができ、また、当該型枠内にコンクリートを速やかに打設することができる型枠建て込み方法およびこの方法で用いられる型枠支保工の提供を目的とする。
【課題を解決するための手段】
【０００７】
第１の発明は、
コンクリート打設空間の少なくとも片側に型枠を建て込む方法であって、
枠状の型枠支保工を相互に間隔をあけて複数個立設するステップと、
横バタ材を型枠に取り付けるステップと、
上記複数の型枠支保工を相互に連結するように当該型枠支保工に上記横バタ材を取り付けるステップと、を備えた型枠建て込み方法である。
【０００８】
第１の発明によれば、立設された複数個の枠状の型枠支保工に横バタ材を介して型枠が支持される。よって、地下外壁の型枠工事において、セパレータを用いずに型枠を建て込むことができる。これにより、型枠の外側に山留め地盤の水が漏れ出すのを防止することができ、また、当該型枠内にコンクリートを速やかに打設することができる。
【０００９】
第２の発明は、第１の発明において、
上記枠状部材の底辺にはアンカー固定部材が設けられ、当該アンカー固定部材を地面または床面にアンカー留めすることにより、上記型枠支保工を立設することを特徴とする。
【００１０】
第２の発明によれば、各型枠支保工がアンカー固定部材を介して地面または床面にアンカー留めされる。よって、型枠を強固に固定することができる。
【００１１】
第３の発明は、第１または第２の発明において、
上記枠状部材は、各辺が相互に着脱可能に構成された多角形であることを特徴とする。
【００１２】
第３の発明によれば、多角形である枠状部材の各辺が相互に着脱可能に構成されている。よって、型枠支保工を組み立て前の状態で工事現場に搬入し、当該工事現場で型枠支保工を組み立てて、型枠支保工を使用することができる。また、使用後は、工事現場において型枠支保工を分解し、分解した型枠支保工を工事現場から搬出することができる。よって、型枠支保工の搬入、搬出の作業性が良好となる。
【００１３】
第４の発明は、第３の発明において、
上記枠状部材を、構築する壁体の高さに応じて複数階層に組み上げていくことを特徴とする。
【００１４】
第４の発明によれば、枠状部材を、構築する壁体の高さに応じて複数階層に組み上げていくので、様々な高さの壁体に対応することができる。
【００１５】
第５の発明は、第３の発明において、
上記枠状部材がｎ角形（ｎは４以上の整数）の場合、当該枠状部材には筋交い部材が設けられていることを特徴とする。
【００１６】
第５の発明によれば、筋交い部材が設けられているので、型枠支保工の強度を高めることができる。
【００１７】
第６の発明は、第３乃至第５いずれかの発明において、
上記枠状部材は、各辺の着脱部材がボルトおよびナットであることを特徴とする。
【００１８】
第６の発明によれば、枠状部材の各辺の着脱部材がボルトおよびナットであるので、作業員が手作業で型枠支保工の組み立ておよび分解を行うことができる。よって、現場での組み立て、分解の作業性が良好となる。
【００１９】
第７の発明は、
コンクリート打設空間の少なくとも片側に型枠を建て込む際に用いられる型枠支保工であって、
上記型枠の外面を支持する多角形の枠状部材と、
上記枠状部材の底辺に設けられ、地面または床面にアンカー留めされるアンカー固定部材とを備えた、型枠支保工である。
【００２０】
第７の発明によれば、型枠支保工は、多角形の枠状部材とアンカー固定部材とを備えている。従って、この型枠支保工を使用すれば、地下外壁の型枠工事において、セパレータを用いずに型枠を建て込むことができる。これにより、型枠の外側に山留め地盤の水が漏れ出すのを防止することができ、また、当該型枠内にコンクリートを速やかに打設することができる。
【００２１】
第８の発明は、第７の発明において、
上記枠状部材は、構築する壁体の高さに応じて複数階層に組み上げ可能に構成され、
上記アンカー固定部材は、最下階層に設けられることを特徴とする。
【００２２】
第８の発明によれば、枠状部材を複数階層に組み上げて、様々な高さの壁体に対応することができる。
【発明の効果】
【００２３】
本発明によれば、地下外壁の型枠工事において、セパレータを用いずに型枠を建て込むことができる。これにより、型枠の外側に山留め地盤の水が漏れ出すのを防止することができ、また、当該型枠内にコンクリートを速やかに打設することができる。
【図面の簡単な説明】
【００２４】
【図１】本発明の実施形態に係る型枠支保工の設置状態を示す図であり、（Ａ）はその平面図および一部拡大図、（Ｂ）はその側面図および一部拡大図、（Ｃ）はその正面図および一部拡大図
【図２】本発明の実施形態に係る型枠支保工で支持する型枠等の設置状態を示す図
【図３】本発明の実施形態に係る型枠支保工の分解斜視図
【図４】本発明の実施形態に係る型枠支保工の斜視図
【図５】本発明の実施形態に係る型枠支保工に横バタ材を取り付ける様子を示す斜視図
【図６】本発明の実施形態に係る型枠支保工に横バタ材を取り付けた状態を示す斜視図
【図７】本発明の実施形態に係る型枠支保工を用いた型枠建て込み方法を示すフローチャート
【図８】従来の型枠支持構造を示す図
【発明を実施するための形態】
【００２５】
（第１実施形態）
本発明の実施形態について、図面を参照しつつ説明する。図１は、本発明の実施形態に係る型枠支保工の設置状態を示す図であり、（Ａ）はその平面図および一部拡大図、（Ｂ）はその側面図および一部拡大図、（Ｃ）はその正面図および一部拡大図である。
【００２６】
本発明の実施形態に係る型枠支保工１は、図１（Ｂ）に例示される如く、コンクリート打設空間の片側にのみ型枠２を建て込む際に用いられる型枠支保工である。本実施形態に係る型枠支保工１は、例えば、地下外壁の型枠工事において用いられる。
【００２７】
図２は、本実施形態に係る型枠支保工１で支持される型枠２の設置状態を示す図である。この型枠２は、地下外壁３の型枠工事に用いられる。地下外壁を構築する際には、地下において地盤４が山留め壁５（例えば、親杭横矢板工法によるもの）で山留めされる。本実施形態に係る型枠支保工１は、山留め壁５と所定の間隔をあけて立設される型枠２を、セパレータを用いることなく、型枠２の外側から支持する（図１（Ｂ）、図２参照）。
【００２８】
図３は、本実施形態に係る型枠支保工の分解斜視図である。図４は、本実施形態に係る型枠支保工の斜視図である。
型枠支保工１は、枠状部材６と、アンカー固定部材７とを備えている。
【００２９】
枠状部材６は、型枠２の外面を支持する多角形の部材である。枠状部材６は、各辺が相互に着脱可能に構成されている。枠状部材６は、各辺を着脱するための部材がボルト１１およびナット１２とされている。また、枠状部材６がｎ角形（ｎは４以上の整数）の場合、当該枠状部材６には筋交い部材８が設けられている。図示例では、枠状部材６が四角形とされており、一対の対向角を結ぶように筋交い部材８が設けられている。なお、枠状部材６は三角形でもよい。
【００３０】
枠状部材６は、各辺を構成する部材として、例えば、縦部材６Ａおよび横部材６Ｂを有している。縦部材６Ａおよび横部材６Ｂには、ボルト１１を通すための穴が形成されている。縦部材６Ａおよび横部材６Ｂを構成する鋼材の種類は特に限定されないが、例えば、溝形鋼で構成することができる。また、溝形鋼で構成する場合、強度を高めるために、図３に示される如く、各辺を２本の溝形鋼で構成することが好ましい。また、各辺を２本の溝形鋼で構成する場合、多角形の各頂点部付近において、縦部材６Ａと横部材６Ｂを接続するための接続プレート１３を２本の溝形鋼の間に挟むように設けることが好ましい。接続プレート１３は、接続の対象となる部材に対応する部分を有している。接続の対象となる部材は、接続プレート１３の対応する部分にボルト１１とナット１２で接合される。接続プレート１３には、ボルト１１を通すための穴が形成されている。また、上記した筋交い部材８も、２本の溝形鋼で構成することが好ましい。筋交い部材８を２本の溝形鋼で構成する場合、上記した接続プレート１３に、筋交い部材８を構成する２本の溝形鋼で挟む部分を設けることが好ましい。接続プレート１３をこのような構造とすることで、枠状部材６の強度がより一層高まる。枠状部材６の寸法は特に限定されるものではないが、例えば、図４に示される寸法（図中の数値の単位はｍｍ）とすることができる。
【００３１】
枠状部材６は、型枠２の高さに応じて複数階層に組み上げ可能に構成されている。具体的には、接続プレート１３に、下階層の部材に対応した部分と、上階層の部材に対応した部分を形成することで、下階層の部材と上階層の部材を接続プレート１３を介してボルト１１とナット１２で接続することができる。複数階層に組み上げる場合、アンカー固定部材７は、少なくとも最下階層（第１階層）に設けられ、通常は最下階層のみに設けられる。なお、枠状部材６を複数階層に組み上げる場合、上下階層の境界にある横部材６Ｂは、図１に示される如く上下階層で共用してもよいし、或いは、共用せずに各階層毎に設けてそれらを接続プレート、ボルト、およびナットを用いて連結してもよい。
【００３２】
また、型枠支保工１の最上階層においては、必ずしも枠状部材６を設けなくてもよく、図１（Ｂ）に示されるように、縦部材６Ａのみで型枠２を支持するようにしてもよい。
【００３３】
アンカー固定部材７は、枠状部材６の底辺に設けられ、地面または床面にアンカー留めされるものである。アンカー固定部材７は、例えば、平板状の平鋼で構成される。アンカー固定部材７には、アンカー用ボルト９を通すための複数個の穴が形成されている。地面または床面には、アンカー用ボルト９と螺合するインサート部材１０が埋め込まれる。
【００３４】
次に、上記した型枠支保工１を用いた型枠の建て込み方法について、図７のフローチャートを参照しつつ説明する。
本実施形態に係る型枠支保工１を用いた型枠の建て込み方法は、コンクリート打設空間の片側にのみ型枠を建て込む方法である。
【００３５】
まず、最初に、地下において地盤４（図１，図２（Ｂ）参照）の崩落を防ぐための山留め壁５が設けられているものとする。山留め壁５の種類は問わず、例えば、親杭横矢板工法によるもの、鋼矢板工法によるもの等とすることができる。
【００３６】
次いで、図３に示される如く分解された状態の型枠支保工１を、地下外壁３を構築するための現場に搬入する（ステップＳ１）。次いで、分解された状態の型枠支保工１を組み立てて、図４に示されるような型枠支保工１を構成する（ステップＳ２）。次いで、地面または床面に先に埋め込まれているインサート部材１０にアンカー用ボルト９を螺合することにより、アンカー固定部材７を地面または床面の所定位置に固定する（ステップＳ３）。ステップＳ２、Ｓ３が繰り返されて、複数個の型枠支保工１が地面または床面の所定位置に並設される。なお、型枠支保工１は、多角形をなす面が型枠２の正面と直角をなすように設置される。型枠支保工１同士の間隔は、特に限定されるものではないが、例えば、１．２ｍとされる。次いで、図１に示されるように、並設された型枠支保工１同士を水平つなぎ単管１８，水平筋交い単管１９、鉄骨クランプ２０、および自在クランプ２１で連結する（ステップＳ４）。これにより、型枠支保工１のぐらつきを防止することができる。
【００３７】
次いで、型枠２に横バタ材１４を取り付ける（ステップＳ５。図２、図１（Ｂ）参照）。型枠２への横バタ材１４の取り付けは、横バタ材用座金２２、棒状部材２３、コーン部材２４、くさび２５によって行うことができる。棒状部材２３の一端部にはくさび２５を挿入する穴が形成され、他端部にはコーン部材２４の雌ねじと螺合する雄ねじが形成されている。本実施形態では、型枠の建て込みに通常用いられるセパレータは用いない。
【００３８】
次いで、複数の型枠支保工１を相互に連結するように当該型枠支保工１の横面に、上記横バタ材１４を取り付ける（ステップＳ６）。具体的には、縦部材６Ａにおいて型枠２と対向する側の面に横バタ材１４を取り付ける（図５，６参照）。横バタ材１４は、横バタ材用座金１５、ボルト１６、およびナット１７を用いて取り付けることができる。ステップＳ６により、横バタ材１４を介して型枠支保工１に型枠２が支持される。
【００３９】
次いで、構築する壁体の高さに応じて、ステップＳ７で上階層が必要と判断されれば、ステップ７を経て２段目の型枠支保工１を１段目の型枠支保工１の上に組み上げる（ステップＳ８）。上階層が必要かどうかの判断基準は、最上階層（最初は第１層）の型枠支保工１が構築する壁体の予定高さ近くに到達しているかどうかである。最上階層の型枠支保工１が構築する壁体の予定高さ近くに到達していれば上階層は不要であり、到達していなければ上階層は必要である。なお、ステップＳ８において、上下階層の境界にある横部材６Ｂは、図１に示される如く上下階層で共用してもよいし、或いは、図示はしないが共用せずに各階層毎に設けてそれらを接続プレート、ボルト、およびナットを用いて連結してもよい。ステップＳ８の後、ステップＳ４に戻る。一方、ステップＳ７において、上階層が必要でないと判断されれば、型枠２の建て込みが完了する。なお、最上階層は、図１（Ｂ）に示される如く、縦部材６Ａのみであってもよい。
以上が型枠の建て込み方法の順序である。
【００４０】
なお、型枠２の建て込み後は、土留め壁５と型枠２の間の空間にコンクリートが打設される。打設したコンクリートが硬化すると、地下外壁３となる。
【００４１】
以上説明したように、本実施形態によれば、立設された複数の枠状支保工１に横バタ材１４を介して型枠２が支持される。よって、地下外壁３の型枠工事において、セパレータを用いずに型枠２を建て込むことができる。これにより、型枠２の外側に山留め地盤の水が漏れ出すのを防止することができ、また、当該型枠２内にコンクリート３を速やかに打設することができる。また、型枠支保工１はアンカーによって強固に地面または床面に固定されるので、型枠２を強固に固定することができる。
【００４２】
なお、上記実施形態では、型枠支保工１を、コンクリート打設空間の片側にのみ型枠２を建て込む際に用いる場合について説明したが、型枠支保工１は、少なくともコンクリート打設空間の片側に型枠を建て込む際に用いることができるものである。つまり、他の実施形態では、型枠支保工１を、コンクリート打設空間の両側に型枠２を建て込む際に用いてもよい。この場合には、コンクリート打設空間の両側にそれぞれ型枠支保工１を配置すすればよい。
【００４３】
また、１つの型枠支保工１の高さと１枚の型枠２の高さを略同じ高さにしてもよいし、或いは、複数段に積層した型枠支保工１の高さと１枚の型枠２の高さを略同じ高さにしてもよい。後者の場合は、１枚の型枠２を複数段に積層した支保工１で支持することになる。また、型枠支保工１の寸法は、図４に示した寸法に限定されるものではなく、任意に変更可能である。
【産業上の利用可能性】
【００４４】
本発明は、地下外壁の型枠工事において、セパレータを用いずに型枠を建て込むことにより、型枠の外側に山留め地盤の水が漏れ出すのを防止することができ、また、当該型枠内にコンクリートを速やかに打設することができる型枠建て込み方法およびこの方法で用いられる型枠支保工等に利用可能である。
【符号の説明】
【００４５】
１    型枠支保工
２    型枠
３    地下外壁
４    地盤
５    山留め壁
６    枠状部材
７    アンカー固定部材
８    筋交い部材
９    アンカー用ボルト
１０    インサート部材
１１、１６    ボルト
１２、１７    ナット
１３    接続プレート
１４    横バタ材
１５    横バタ材用座金
１８    水平つなぎ単管
１９    筋交い単管
２０    鉄骨クランプ
２１    自在クランプ
２２    横バタ材用座金
２３    棒状部材
２４    コーン部材
２５    くさび
【図１】
2012237108.tif 000003
【図２】
2012237108.tif 000004
【図３】
2012237108.tif 000005
【図４】
2012237108.tif 000006
【図５】
2012237108.tif 000007
【図６】
2012237108.tif 000008
【図７】
2012237108.tif 000009
【図８】
2012237108.tif 000010